(57)【要約】【課題】この発明は、通常、衣類用ハンガー上部に突出している吊り下げフックを必要に応じハンガー本体に収納できる衣類用ハンガーに関するものである。【解決手段】フック部２に案内溝３を形成し、ハンガー本体１に突設した軸部材４を案内溝３に相対移動可能に係合させる。またフック部２に対する仮固定可能を設ける。【選択図】  図１
2004275663.tif 000002
【特許請求の範囲】
【請求項１】
衣類の肩部を支持するハンガー本体と、同ハンガー本体の上部に配置される吊り下げ用フックが形成されたフック部とから構成される衣類用ハンガーにおいて、前記ハンガー本体とフック部とを別体で構成し、同フック部側に形成した案内溝を同ハンガー本体に突設した軸部材に対して同案内溝の長手方向に相対移動可能に係合させ、同軸部材が同案内溝の下端位置にある場合に同軸部材を介して同フック部によって同ハンガー本体を吊り下げ可能とするとともに、同軸部材を同案内溝に沿って相対的に上昇させることで同フック部を同ハンガー本体と重複する収納位置に配置させるようにしたことを特徴とする衣類用ハンガー。
【請求項２】
前記フック部は前記収納位置において前記軸部材を中心に回動して倒伏することを特徴とする請求項１に記載の衣類用ハンガー。
【請求項３】
前記ハンガー本体には前記フック部の前記軸部材を中心とする所定以上の回動を阻止する回動阻止部材が設けられ、同回動阻止部材に当接して同フック部が倒伏状態に支持されることを特徴とする請求項２に記載の衣類用ハンガー。
【請求項４】
前記ハンガー本体には前記フック部の前記軸部材を中心とする回動が逆回動しないような逆回動阻止手段が設けられていることを特徴とする請求項１又は２に記載の衣類用ハンガー。
【請求項５】
前記ハンガー本体には前記軸部材が前記案内溝の下端位置にある状態で前記フック部が自重で下降しないような仮固定可能を設けるようにしたことを特徴とする請求項１から４のいずれかに記載の衣類用ハンガー。
【請求項６】
前記フック部には仮固定可能との仮固定能を向上されるための仮固定向上部材を設けるようにしたことを特徴とする請求項５に記載の衣類用ハンガー。
【発明の詳細な説明】
【０００１】
【発明の属する技術分野】
この発明は、通常、衣類用ハンガー上部に突出しているフック部を必要に応じハンガー本体に収納できる衣類用ハンガーに関するものである。
【０００２】
【従来の技術】
従来の衣類用ハンガーは、衣類の肩部を支持するハンガー本体と、このハンガー本体の上部に固定されたフック部より構成されている。使用の際には一般にハンガー本体を首側から挿入するように使用している。
【０００３】
【発明が解決しようとする課題】
しかし、吊り下げフックにはばまれてトレーナーや子供服など、首口の小さい衣類は着脱しづらく、首口がたるむ原因にもなる。またその解決を目指した既存の事例でも、使用方法がわずらわしい、機構が複雑といった使用および製品生産の両方における問題点がある。
すなわち本発明は、ハンガー本体への吊り下げフックの収納を可能することで、首口の小さい衣類での利用ができ、またそれに付随する使用方法および機構を簡易にするために発明されたものである。
【０００４】
【課題を解決するための手段】
上記課題を解決するために本発明では衣類の肩部を支持するハンガー本体１と、同ハンガー本体１の上部に配置される吊り下げ用フックが形成されたフック部２とから構成される衣類用ハンガーにおいて、前記ハンガー本体１とフック部２とを別体で構成し、同フック部２側に形成した案内溝３を同ハンガー本体１に突設した軸部材４に対して同案内溝３の長手方向に相対移動可能に係合させ、同軸部材４が同案内溝３の下端位置にある場合に同軸部材４を介して同フック部２によって同ハンガー本体１を吊り下げ可能とするとともに、同軸部材４を同案内溝３に沿って相対的に上昇させることで同フック部２を同ハンガー本体１と重複する収納位置に配置させるようにしている。
また、加えて請求項２では前記フック部２は前記収納位置において前記軸部材４を中心に回動して倒伏するようにしている。
また、加えて請求項３では前記ハンガー本体１には前記フック部２の前記軸部材４を中心とする所定以上の回動を阻止する回動阻止部材６が設けられ、同回動阻止部材６に当接して同フック部２が倒伏状態に支持されるようにしている。
また、加えて請求項４では前記ハンガー本体１には前記フック部２の前記軸部材４を中心とする回動が逆回動しないような逆回動阻止手段が設けるようにしている。
また、加えて請求項５では前記ハンガー本体１には前記軸部材４が前記案内溝３の下端位置にある状態で前記フック部２が自重で下降しないような仮固定可能５を設けるようにしている。
また、加えて請求項６では前記フック部２には仮固定可能５との仮固定能を向上されるための仮固定向上部材９を設けるようにしている。
【０００５】
【発明の実施の形態】
ハンガー本体１の形状は一般的衣類用ハンガーと同様、左右に長く上下に短い台形かつ板状のものとする。ハンガー本体１の中央上部寄りには軸部材４が突設されている。フック部２の本体部分には直線状のフック部案内溝３が透設形成されている。
また、ハンガー本体１へのフック部仮固定可能としては、ハンガー本体のほぼ中央部と右縁の間に渡された一枚板の形状を有する抑え板５とする。この抑え板５はハンガー本体のほぼ中央部で右板片６および左板片７によりハンガー本体に架設されている。
フック部２を収納時に倒伏状態で支持するため、右板片６はハンガー本体１に斜めに配置されている。
この右板片６および左板片７はフック部２下半分ととほぼ同じ厚みを有することから、それによって抑え板５とハンガー本体１との間にはフック部２下半分と厚みをほぼ同じくする隙間８が生じる。そのためその隙間８中をフック部２下半分は移動可能であり、なおかつ仮固定可能が抑え板の役割を果たすことでフック部２を仮固定させる。
この抑え板５の仮固定能は、抑え板５がフック部２と接する部分に緩傾斜をつけることで強めまた弱めることができる。この緩傾斜は右板片６と左板片７の厚みに差をつけること、あるいは抑え板５自体の形状に緩傾斜をもたせることなどにより行う。
フック部２がハンガー本体１に収納された時には、フック部２のうち下半分は前記抑え板５とハンガー本体１の間およびそれより下方に、倒伏した状態で配置される。
また、右板片７および左板片８の間隔はちょうどフック部２が逆方向に回動し過ぎないような位置関係すなわちフック部２下半分部分の幅を若干上回る程度の間隔に配置し、もって逆回動阻止手段とする。
また、吊り下げフックがハンガー本体１上部に突出した時の同衣類用ハンガー全体の重心バランス位置より若干右寄りに軸部材４を突設させフック部２を係合させることにより、吊り下げフックが相対的に右に傾く傾向をもたせることにより、フック部２と右板片６および左板片７との密着度を高めることで、仮固定能の一環とする。
また、軸部材４がフック部案内溝３の最上部にあるとき、フック部２の重量配分はわずかに上半分が重くなるようにすることで、フック部２の回動および倒伏運動が助長されるようにする。
また、吊り下げフックをハンガー本体１上部に突出させた状態の時、フック部２のハンガー本体１への仮固定能を向上させるため、フック部２が抑え板５と当接する箇所（本実施の形態ではフック部２の下端前面位置）において、フック部２に仮固定向上部材９を配置する。この固定は軽い力が加わることで簡単に解かれるものとする。
また、形状全般に関し、本ハンガーの機能を損なわない範囲で可能なかぎりにおいて円形、丸面、球面を採用することで、衣類着脱時の抵抗を減ずるようにする。
つぎに本発明の使用方法を説明する。
まずフック部２がハンガー本体１の上部に突出している場合、これを収納するにはフック部２を押し下げ、さらに軸部材４を支点にして倒伏させる。倒伏された状態でフック部２は図３のように抑え板５によって抑えられている。
また本実施の形態ではフック部２の重量配分はわずかに上半分が重いため、フック部２は倒伏方向（反時計方向）の回転が生じているが、フック部２の背中側が右板片６の内側と当接して倒伏状態で保持される。これによってハンガー本体１を服の首口から挿入させることが容易となる。
一方、収納された状態の吊り下げフックをハンガー本体１の上部に突出させるためには、前記収納操作の逆をおこない引き上げる。
また、吊り下げフックがハンガー本体１の上部に突出している場合にはフック部２下部の仮固定向上部材９が抑え板５と当接するためフック部２は仮固定されて自重による下降が防止されている。つまり、使用者が実際に衣類を掛けて本ハンガーのハンガー本体１を持って吊り下げフックを物干し竿等にかける時、あるいは吊り下げ状態にある本ハンガーのハンガー本体１を持って吊り下げフックを物干し竿等から取り外す時、フック部２が図１の状態で保持されることとなる。
【０００６】
上記実施の形態のハンガー本体１やフック部２の形状は一例である。案内溝３、軸部材４、抑え板５、右板片６および左板片７の形状も同様である。
尚、この仮固定向上部材９には、
（イ）いぼ状、線状など小突起構造物
（ロ）緩傾斜構造物
（二）ゴム、ビニールなど摩擦係数の大きい材質物
（ホ）マジックテープ
（ヘ）磁石
（ト）バネ
などを応用することが可能である。
【０００７】
【発明の効果】
このような衣類用ハンガーは首口の小さな衣類でもスムーズに着脱できる。
【図面の簡単な説明】
【図１】吊り下げフックが上部に突出した状態の正面図
【図２】吊り下げフックが上部に突出した状態の斜視図
【図３】吊り下げフックが収納された状態の正面図
【図４】フック部を除いたハンガー本体の平面図
【符号の説明】
１はハンガー本体
２はフック部
３は案内溝
４は軸部材
５は抑え板
６は右板片（回動阻止部材として）
７は左板片（回動阻止部材として）
８は隙間
９は仮固定向上部材
【図１】
2004275663.tif 000003
【図２】
2004275663.tif 000004
【図３】
2004275663.tif 000005
【図４】
2004275663.tif 000006